(57)【要約】      （修正有）【課題】草花や木が吐き出す水と珪藻土で濾過された水が混ざり合わないようにして、飾られる草花や木を長く枯れないようにする珪藻土の花器を提供する。【解決手段】外側の容器２の内側に配される珪藻土を主成分とする内側の容器３（３Ａ）との少なくとも二重構造とされ、前記内側の容器３Ａは釉薬を施すことなく焼成され、これら両容器２，３Ａに水が入れられるとともに、内側の容器３Ａに草花や木や植物Ｆが入れられて使用される。【選択図】図１
0003177766.tif 000002
【実用新案登録請求の範囲】
【請求項１】
外側の容器となる花器に収納されて使用される内側の容器であって、この内側の容器は釉薬を施すことなく焼成され、これら両容器に水が入れられるとともに、内側の容器に草花や木や植物が入れられて使用されることを特徴とする珪藻土の花器。
【請求項２】
前記内側の容器は底部を有する筒状に形成され、その底部にのみ内側の容器内に外側からの水を送り込むための穴が形成されていることを特徴とする請求項１記載の珪藻土の花器。
【請求項３】
前記内側の容器の体積量よりも外側の容器の体積量が大きく、前記内側の容器の底部又は底部側の側壁部に、内側容器内に外側からの水を送り込むための穴が形成されていることを特徴とする請求項１記載の珪藻土の花器。
【請求項４】
前記水を送り込むための穴は、内側の容器の中心に一つ設けられるか、又は、左右対称に位置に複数設けられることを特徴とする請求項２又は３記載の珪藻土の花器。
【考案の詳細な説明】
【技術分野】
【０００１】
本考案は、珪藻土を主成分とする珪藻土の花器に関する。
【背景技術】
【０００２】
珪藻土（diatomite、diatomaceou earth）は、藻類の一種である珪藻の殻の化石よりなる堆積物（堆積岩）である。珪藻の殻は二酸化ケイ素（iO2）でできており、珪藻土もこれを主成分とする。珪藻土の用途としては、吸着性に優れているため濾過助剤や、耐火性と断熱性に優れているため建材や保温材として、電気を通さないので絶縁体として、また適度な硬さから研磨剤としても使用されている。特許文献１には、珪藻土を素焼きにした植木鉢と、この植木鉢に水を供給する水受け皿等から構成される珪藻土植木鉢が開示されている。藻類の化石が堆積（たいせき）してできる珪藻土は、能登で全国の約７５％が産出され
る。藻が固まった粒子は多数の穴を持っているため、保温性や吸・放湿性、消臭性などに優れ、七輪（しちりん）などの原料に使われる。
【０００３】
本願出願人は、この能登産の珪藻土を使用して種々の花器を開発している（例えば、下記の特許文献２、３を参照）。
【特許文献１】特開２００４−１２９５６５号公報
【特許文献２】特開２０１０−５７４５６号公報
【特許文献３】特開２０１１−１６６７７号公報
【考案の開示】
【考案が解決しようとする課題】
【０００４】
ところで、従来の珪藻土の花器は、花器としての形状を保つために（硬度を維持するために）、珪藻土に釉薬を塗布して、高温度で焼成する必要があるが、これでは珪藻土の持つ吸着性や保水性などの効果を半減させることになっていた。すなわち、能登珪藻土の吸着性や保水性などの効果を発揮するためには、８００℃程度で焼成することが好ましく、それ以上で焼成すると吸着性や保水性などの効果が失われることが明らかになっているが、一般的にも、釉薬を塗布すると、花器としての高度は維持できるものの、飾られる草花や木には、余り好ましくないことは良く知られている。
しかしながら、従来の珪藻土の花器は、硬度を維持するために、釉薬が施されることが多かった。
また、夏季においては、花器内の温度が急激に上がらないようにする必要があり、その点で水を活性化する働きを有する珪藻土の花器は、水に酸素を供給したり冷却する効果を有するが、従来の珪藻土の花器では、花器の水が汚れが早く、そのために、草花などを長く枯れないようにするには限界を有していた。
【０００５】
そこで本考案の目的は、できるだけ水が混ざり合わないようにして、飾られる草花や木を長く枯れないようにする珪藻土の花器を提供することにある。
【課題を解決するための手段】
【０００６】
本願考案者は、草花や木が吐き出す水と珪藻土で濾過された水が混ざり合わないようにするとともに、珪藻土により濾過された綺麗な水を草花に供給し続けることができるようにすることに着眼して本願を考案するに至った。
本考案の請求項１記載の珪藻土の花器は、外側の容器となる花器に収納されて使用される内側の容器であって、前記内側の容器は釉薬を施すことなく焼成され、これら両容器に水が入れられるとともに、内側の容器に草花や木や植物が入れられて使用されることを特徴とする。
ここで、外側の容器と内側の容器とは水の循環がない独立したものとしても良い。なお、後述するように、穴を形成して水の流れを確保するが、この穴はできるだけ小さく、そして、花器の内部構造としては、内側の容器の水と外側の容器の水とができるだけ混ざり合わないようにする。
【０００７】
本考案によれば、内側の容器には釉薬は施されていないために、従来の釉薬が施された容器よりも、珪藻土のもつ吸・放湿性などの作用を発揮させ、飾られる草花や木を長く枯れないようにする。
そして、水を入れると、内側の容器の水が外側の容器の水により冷却するとともに、二重構造の花器であるが、そこに水が介在されることで三重構造になり、夏季であっても、内側の容器には外部の熱が伝わり難くなる。なお、水を入れると、多孔質の珪藻土からたくさんの泡（酸素）が発生するが、これにより水が活性化されるとともに、容器の水を長く冷却状態に維持する。
【０００８】
本考案としては、前記内側の容器は底部を有する筒状に形成され、その底部にのみ内側容器内に外側からの水を送り込むための穴が形成されていることを特徴とする。また、前記内側の容器の体積量よりも外側の容器の体積量が大きく（水の容積が外側の容器が大きく）、前記内側容器の底部又は底部側の側壁部に、内側容器内に外側からの水を送り込むための穴が形成されていることを特徴とする。
【０００９】
本考案によれば、内側の容器内の水は、飾られる草花や木がこれを吸収して内側容器の水の量を少なくするが、水を送り込むための穴を介して水が流入するので（外側の水が内側の容器に入り込み）、飾られる草花や木を長く枯れないようにする。すなわち、珪藻土の容器に水を入れると、多孔質の珪藻土から酸素が供給されて水が活性化されて、その活性化された水を飾られる草花や木がこれを吸収するが、前記穴を介して活性化された水が内側の容器に供給され続けることとなり（逆に流れることがなく）、汚れた水が混ざり合うことがない。なお、外側の容器と内側の容器とが同じ水の容積を有する場合でも、上記内側の容器の底部に形成する穴の場合は、逆流が生じることはない。
また、前記水を送り込むための穴は、内側の容器の中心に一つ設けられるか、又は、左右対称に位置に複数設けられることを特徴とする。
本考案によれば、上記穴を内側の容器の中心に一つ設けられることで、逆流がおき難くなり、又、上記穴を複数設ける場合でも、その左右対称位置に設けることで、逆流がおき難くなる。
【考案の効果】
【００１０】
本考案によれば、内側の容器には釉薬は施されていないために、従来の釉薬が施された容器の花器よりも、珪藻土のもつ保温性や吸・放湿性、消臭性など作用がより一層発揮され、飾られる草花や木を長く枯れないようにする。そして、外側の容器にも水を入れることにより、この外側の水が内側の容器の水を冷却する働きをするとともに、この外側の水の媒介により内部構造がいわば三重構造になり、飾られる草花や木が入れられる内部の容器には、たとえ夏季の熱であっても伝わり難くなるとともに、その間に介在される水は、上記参上構造の役割をすると共に、内側の容器に入り込んで、草花を長く枯れないようにする。
【図面の簡単な説明】
【００１１】
【図１】本発明の第１の実施の形態の珪藻土の花器の内部構造を説明する斜視図である。
【図２】上記第１の実施の形態を示す断面図である。
【図３】上記第１の実施の形態の内側の容器を示す斜視図である。
【図４】本発明の第２の実施の形態の珪藻土の花器の内部構造を説明する斜視図である。
【図５】上記第２の実施の形態の内側の容器を示す側面図である。
【考案を実施するための最良の形態】
【００１２】
以下、図面を引用しながら本考案の珪藻土の花器の実施の形態を説明する。
（第１の実施の形態）
【００１３】
図１は、本発明の実施の形態に係る珪藻土の花器の内部構造を説明する斜視図であり、図２は、断面図である。図３は、内側の容器を説明する側面図である。
珪藻土の花器１は、外側の容器２である通常の花器２と、珪藻土を主成分とする内側の容器３（３Ａ）とから構成されている。内側の容器３Ａは、珪藻土と粘土と水を混合して、所定の形にして焼成する。焼成に際しては、外側の容器２は、その外側に釉薬を塗布して焼成するが、内側の容器３Ａは釉薬を塗布しないで焼成することが好ましい。ここで、珪藻土は、能登地方で産出する珪藻土であり、粘土を多く含み、このため、粘りが強くて形がつくりやすく、焼くと硬くしまる特徴を有する。内側の容器３の焼成の温度は約８００℃である。それ以上で焼成すると吸着性や保水性などの効果が失われることが判明している。外側の容器２の焼成温度は、これよりも高い温度で焼成している（例えば、１０００〜１３００℃の範囲で焼成している）。なお、外側の容器２の容器の種類としては、ガラスや合成樹脂製や木製などでも良い。
【００１４】
外側の容器２は、首部２ａが一旦狭まり、下方側が大きく左右に膨らむ形状である。内側の容器３Ａは、底部を有する円筒状である。内側の容器３Ａに草花や木を入れるが、外側の容器のような形状よりも、筒状の内側容器３Ａのほうが草花や木の姿勢が安定的で綺麗に見えるようになる。また、外側の容器の首部２ａにより、内側の容器３Ａの姿勢や移動が大きくならないように工夫されている。すなわち、本実施の形態によれば、開口部の大きさよりもやや小さな径の筒状に形成されているので、内側の容器３Ａの移動が規制されると共に、草花や木や植物が入れられると、その傾きも規制されて、傾きすぎることなく活けることができる。
【００１５】
内側の容器３Ａの底部には、水の通過を確保する穴４ａが形成されている。本実施の形態の穴４ａは、外側の容器２の水を内側の容器３内に送り込むための穴４ａである。内側の容器３内の水Ｗ２は、飾られる草花や木がこれを吸収して内側容器の水の量を少なくなるため、水を送り込むための穴４ａを介して外側の水Ｗ１が内側の容器に入り込む構造にしている。すなわち、珪藻土の容器３Ａに水を入れると、多孔質の珪藻土から酸素が供給されて水が活性化されて、その活性化された水を飾られる草花や木がこれを吸収するが、前記穴４ａを介して活性化された水が内側の容器に供給され続けることとなる。また、内側の容器３の水Ｗ２の量よりもその外側の水Ｗ１の量が多くなるように構成されている。したがって、水を送り込むための穴４ａにより、内側の容器３にその外側からの水が入り込むが、これとは逆の流れが生じないようになっている。また、本実施の形態では、上記穴４ａは、内側の容器の底部に一つだけ形成されているが、これは、複数形成しても良いが、できるだけ外側の水が内側の容器２内に入り込む力が大きくなるようにするためである。上記穴４ａの半径としては、０．５ｍｍ〜２ｍｍ程度の小さな穴で良い。なお、上記穴４ａを複数も受ける場合、左右対称位置に設けると、逆流（内側の水Ｗ２が外側に流れる）が生じ難くなる。
【００１６】
本実施の形態の珪藻土の容器１を使用する場合は、外側の容器２と内側の容器３Ａに水Ｗ１，Ｗ２を入れて使用する。ここで、外側の容器２に水Ｗ１を入れ、これとは別に内側の容器２に水Ｗ２を入れて、草花や木Ｆを入れて、そしてかかる状態の内側の容器３Ａを外側の容器２に入れることが好ましい。また、水位は、外側の容器２の水Ｗ１の方が水圧が強くかかり、上記穴４ａを介して内側の容器３Ａ内に入り込み易くするために、外側の水Ｗ１の水位を高くするようにすることが好ましい。ここで、内側と外側の容器の間に介在される水Ｗ２は、両方の活性化が図られるので、より水を活性化させることができる。したがて、従来の一重のものと比較して、汚れが生じ難く、手入れの必要もなく、綺麗な常態を長く維持する。
このようにして草花や木Ｆを飾ると、飾られる草花や木Ｆが活性化された水を吸収して内側の容器３Ａの水の量Ｗ１を少なくするが、水を送り込むための穴４ａを介して外側の水Ｗ１が内側の容器３に少しずつ入り込むこととなり、飾られる草花や木Ｆを長く枯れないようにする。なお、水の量を増やすときは、外側の水Ｗ１の量を増やすようにすることが好ましく、内側の容器２に追加して上記穴４ａを介して外側に流れが生じないようにすることが好ましい。
【００１７】
（第２の実施の形態）
図４は、第２実施の形態の珪藻土の花器１１を説明する断面図であり、図５（ａ）（ｂ）は、内側の容器２の例を示す断面図である。図５（ａ）の例では、本実施の形態の内側の容器４ｂは、筒状の容器３Ｂの下方側に形成されている。また、図５（ｂ）の例では、本実施の形態の内側の容器３Ｂは、底部が高くなるように、足部２ｓが設けられている。したがって、内側の容器３Ｂの底部の穴４ｂは底部よりも少し高い位置になっている。いずれも、外側の水Ｗ１の水圧により内側の容器２内に流れ込むようにされている。
【００１８】
ここで、外側の容器２の底部側に、粒子状の珪藻土や、これを素焼きにしたものを入れて使用しても良い。本実施の形態によれば、外側の容器２内の水Ｗ１が底部に配される粒子状の珪藻土５等により、より活性化されて内側の容器３に入り込む。また、筒状の内側の容器３Ｃの姿勢を安定化できるとともに、内側の容器３を下方に押し込むようにして（粒子状の珪藻土５に埋め込むようにして）、内側の容器３の高さを調節ができるようになる。
【００１９】
また、本発明の第３実施の形態における内側の容器３の使用例を説明する断面図である。本実施の形態では、内側の容器３Ｄの底部側に、粒子状の珪藻土や、これを素焼きにしたものを入れて使用しても良い。本実施の形態によれば、内側の容器内の水Ｗ２がその底部に配される粒子状の珪藻土により、より活性化されるとともに、草花や木Ｆを粒子状の珪藻土に埋め込むようにすることで、その姿勢を安定化できるようにされている。
【００２０】
以上、本実施の形態では、外側の容器２と内側の容器３Ａ〜３Ｄの二重構造で説明したが、たとえば、内側の容器２を更に二重構造にするなどして、３重以上構造にすることも可能である。また、外側の容器２と内側の容器３とは水の循環がない独立したものとしても良い。このように本考案は実施の形態に限らず適宜変更実施可能である。
【符号の説明】
【００２１】
１，１１，２１ 珪藻土の花器
２ 外側の容器、２ａ 首部、
３，３Ａ，３Ｂ，３Ｃ 内側の容器、
４ａ，４ｂ，４ｃ外側からの水を送り込むための穴、
５ 粒子状の珪藻土、
Ｆ  草花や木、
Ｗ１  外側の容器に入れられる水、Ｗ２ 内側の容器に入れられる水
【図１】
0003177766.tif 000003
【図２】
0003177766.tif 000004
【図３】
0003177766.tif 000005
【図４】
0003177766.tif 000006
【図５】
0003177766.tif 000007